(57)【要約】【課題】簡便に且つ正確に実耳測定をすることができる補聴器を提供する。【解決手段】補聴器１は、補聴レベルを記憶する補聴レベル記憶部２３と、実耳測定検査の検査音の音声データを記憶する音声データ記憶部２３と、装着時における外界側に配された補聴用マイク１０と、補聴用マイク１０によって集音された音を補聴レベルに従って増幅する補聴部１３０と、検査音、および、補聴部１３０によって増幅された音を放音するスピーカ３１と、装着時における外耳道側に配された測定用マイク４０と、測定用マイク４０によって集音された検査音に基づく検査結果を記憶する検査結果記憶部２３とを備えることを特徴とする。【選択図】図２
2010200258.tif 000002
【特許請求の範囲】
【請求項１】
補聴レベルを記憶する補聴レベル記憶部と、
実耳測定検査の検査音の音声データを記憶する音声データ記憶部と、
装着時における外界側に配された補聴用マイクと、
前記補聴用マイクによって集音された音を前記補聴レベルに従って増幅する補聴部と、
前記検査音、および、前記補聴部によって増幅された音を放音するレシーバと、
装着時における外耳道側に配された測定用マイクと、
前記測定用マイクによって集音された前記検査音に基づく検査結果を記憶する検査結果記憶部と
を備えることを特徴とする補聴器。
【請求項２】
前記検査結果に応じて前記補聴レベル記憶部に記憶された前記補聴レベルを更新する補聴レベル更新部を更に備えることを特徴とする請求項１に記載の補聴器。
【請求項３】
前記補聴レベル記憶部は、複数の周波数帯毎の補聴レベルを記憶し、
前記レシーバは、前記複数の周波数帯の各周波数帯に対応する複数の前記検査音を放音し、
前記補聴レベル更新部は、前記複数の検査音に基づく検査結果に応じて各周波数帯に係る補聴レベルを更新することを特徴とする請求項２に記載の補聴器。
【発明の詳細な説明】
【技術分野】
【０００１】
本発明は、補聴器に関する。
【背景技術】
【０００２】
補聴器の性能を実耳測定する技術に関連し、補聴器のマイクロホンに実耳測定用のプローブ・チューブを結合させる技術が考案されている（例えば、特許文献１参照）。特許文献１に記載の技術は、実耳測定する際に、補聴器にプローブ・チューブを結合し、プローブ・チューブ内を伝わってマイクに到達する外耳道内の音を測定する技術である。
【先行技術文献】
【特許文献】
【０００３】
【特許文献１】特表２００７−５２９９２７号公報
【発明の概要】
【発明が解決しようとする課題】
【０００４】
しかしながら、特許文献１に記載の技術では、正確な実耳測定結果を得られないという問題がある。プローブ・チューブ内にて音響特性が変化してしまうからである。また、簡便に実耳測定ができないという問題がある。実耳測定する際に、プローブ・チューブを用意する必要があるためである。本発明は、このような事情に鑑みてなされたものであり、簡便に且つ正確に実耳測定をすることができる補聴器を提供することを目的とする。
【課題を解決するための手段】
【０００５】
上記問題を解決するために、本発明の一態様による補聴器は、補聴レベルを記憶する補聴レベル記憶部と、実耳測定検査の検査音の音声データを記憶する音声データ記憶部と、  装着時における外界側に配された補聴用マイクと、補聴用マイクによって集音された音を補聴レベルに従って増幅する補聴部と、検査音、および、補聴部によって増幅された音を放音するレシーバと、装着時における外耳道側に配された測定用マイクと、測定用マイクによって集音された検査音に基づく検査結果を記憶する検査結果記憶部とを備えることを特徴とする。
【０００６】
上記補聴器は、検査結果に応じて補聴レベル記憶部に記憶された補聴レベルを更新する補聴レベル更新部を更に備えるようにしてもよい。
【０００７】
上記補聴器において、補聴レベル記憶部は、複数の周波数帯毎の補聴レベルを記憶し、
レシーバは、複数の周波数帯の各周波数帯に対応する複数の検査音を放音し、補聴レベル更新部は、複数の検査音に基づく検査結果に応じて各周波数帯に係る補聴レベルを更新するようにしもよい。
【発明の効果】
【０００８】
本発明によれば、簡便に且つ正確に実耳測定をすることができる。つまり、プローブ・チューブを使用せずに簡便に実耳測定をすることができるようになる。また、プローブ・チューブを使用しないため音響特性に変化が生じ難く正確に実耳測定をすることができるようになる。
【図面の簡単な説明】
【０００９】
【図１】補聴器１の簡略透視図である。
【図２】ＤＳＰ２２の概略ブロック図である。
【図３】記憶部２３に記憶される情報の一例である。
【図４】補聴器１の動作の一部を示すフローチャートである。
【発明を実施するための形態】
【００１０】
図１は、本発明の一態様による補聴器１の簡略透視図である。補聴器１は、図１に示すように、音声入力穴３、音声出力穴４およびベント５を有する筐体２内に、補聴用マイク１０、システムＬＳＩ（ＡＳＩＣ）２０、レシーバ３０および測定用マイク４０を備える。音声入力穴3は、装着したときに外界側（つまり、耳の外側。以下、単に「外界側」という）となる位置に形成された音声入力用の穴である。音声出力穴４は、装着時に外耳道側（つまり、耳の中側。以下、単に「外耳道側」という）となる位置に形成された音声出力用の穴である。ベント５は、外界側と外耳道側とを結ぶ空気穴である。
【００１１】
システムＬＳＩ２０は、ＣＯＤＥＣ２１、ＤＳＰ（Digital Signal Processor）２２、および、ＥＥＰＲＯＭ（Electrically Erasable and Programmable Read Only Memory）２３を備える。ＣＯＤＥＣ２１は、Ａ／Ｄ変換を行うＡ／Ｄ変換部１００（図１において非図示）およびＤ／Ａ変換を行うＤ／Ａ変換部１１０（図１において非図示）を備える。レシーバ３０はスピーカ３１を備える。
【００１２】
補聴用マイク１０は、外界側に配され、音声入力穴３から伝わる外界の音（以下、「環境音」という）を音声信号（アナログ信号）に変換し、Ａ／Ｄ変換部１００に供給する。測定用マイク４０は、外耳道側に配され、スピーカ３１から音声出力穴４から外耳道内に放音された測定音（実際に耳に伝わる測定音）を音声信号（アナログ信号）に変換し、Ａ／Ｄ変換部１００に供給する。スピーカ３１は、Ｄ／Ａ変換部１１０からの音声信号を音に変換して音声出力穴４から放音する。ＤＳＰ２２は、Ａ／Ｄ変換部１００からの音声データに所定の処理を施してＤ／Ａ変換部１１０に供給する。補聴器１を制御する（詳細は後述）。ＥＥＰＲＯＭ２３は、ＤＳＰ２２において必要となる各種情報を記憶する（詳細は後述）。なお、ＥＥＰＲＯＭ２３は、本願の補聴レベル記憶部、音声データ記憶部および検査結果記憶部に相当する（以下、単に記憶部という）。なお、補聴器１の構成は、上述した形態に限られたものではない。例えば、ＣＯＤＥＣ２１、ＤＳＰ２２、ＥＥＰＲＯＭ２３をシステムＬＳＩ１２０で構成せずにそれぞれ単独で備えてもよいし、ＥＥＰＲＯＭ２３は他の形式の記憶手段でもよい。
【００１３】
図２は、ＤＳＰ２２の概略ブロック図である。図３は、記憶部２３に記憶される情報の一例である。ＤＳＰ２２は、図２に示すように、帯域制限部１２０、利得制御部１３０（本願の補聴部の機能を有する）、合成部１４０、ハウリング抑制部１５０、設定部１６０（本願の補聴レベル更新部の機能を有する）および測定部１７０を備える。なお、帯域制限部１２０は、帯域制限部１２０ａ、帯域制限部１２０ｂ…帯域制限部１２０ｇの総称である。また、利得制御部１３０は、利得制御部１３０ａ、利得制御部１３０ｂ…利得制御部１３０ｇの総称である。なお、ＤＳＰ２２は、補聴レベルデータ（後述）に係る各周波数帯に対応する帯域制限部および利得制御部を備える。
【００１４】
記憶部２３は、補聴レベルを設定するための設定情報（以下、「補聴レベルデータ」という）を記憶する。例えば、記憶部２３は、補聴レベルデータとして、図３（ａ）に示すように、音声周波数帯（例えば、１００Ｈｚ〜１０ｋＨｚ）を細分化した複数の周波数帯毎（例えば、１２５Ｈｚ帯、２５０Ｈｚ帯、５００Ｈｚ帯、１ｋＨｚ帯、２ｋＨｚ帯、４ｋＨｚ帯、８ｋＨｚ帯）の補聴による増幅量（単位はデシベル（ｄＢ））を記憶する。
【００１５】
また、記憶部２３は、レシーバ３０（スピーカ３１）から放音する実耳測定検査の検査音の音声データ（以下、「検査音データ」という）を記憶する。具体的には、記憶部２３は、補聴レベルデータの各周波数帯に対応する複数の検査音データを記憶する。例えば、記憶部２３は、所定の周波数（例えば、１２５Ｈｚ、２５０Ｈｚ、５００Ｈｚ、１ｋＨｚ、２ｋＨｚ、４ｋＨｚ、８ｋＨｚ）を持つ複数の検査音データを記憶する。
【００１６】
また、記憶部２３は、検査音に基づく検査結果に係る情報（以下、「検査結果データ」という）を記憶する。例えば、記憶部２３は、検査結果データとして、図３（ｂ）に示すように、各周波数（例えば、１２５Ｈｚ、２５０Ｈｚ、５００Ｈｚ、１ｋＨｚ、２ｋＨｚ、４ｋＨｚ、８ｋＨｚ）の検査音の増減量（単位はデシベル（ｄＢ））を記憶する。
【００１７】
設定部１６０は、ＤＳＰ２２外部から、周波数帯毎の補聴レベルデータを取得する。例えば、設定部１６０は、無線部（非図示）を介して、周波数帯毎の補聴レベルデータを取得する。補聴レベルテータを取得した設定部１６０は、取得した補聴レベルデータを記憶部２３に記憶する。なお、補聴器１の無線部（非図示）は、ユーザが補聴レベルデータを設定する装置（例えば、パーソナルコンピュータ、専用機器）から、周波数帯毎の補聴レベルデータを取得する。なお、設定部１６０は、無線部（非図示）に代えてまたは加えて、有線部（非図示）を介して、周波数帯毎の補聴レベルデータを取得してもよい。
【００１８】
また、設定部１６０は、無線部（非図示）を介して、実耳測定検査を開始すべき旨の命令（以下、「検査開始命令」という）を取得する。検査開始命令を取得した設定部１６０は、記憶部２３に記憶されている検査音データをＤ／Ａ変換部１１０に供給する。なお、具体的には、設定部１６０は、各周波数の検査音データを、順次、Ｄ／Ａ変換部１１０に供給する。なお、設定部１６０は、無線部（非図示）に代えてまたは加えて、有線部（非図示）を介して、または、筐体２に設けられたスイッチ（非図示）を介して検査開始命令を取得してもよい。
【００１９】
また、設定部１６０は、無線部（非図示）を介して、検査結果データに応じて補聴レベルを調整すべき旨の命令（以下、「フィードバック命令」という）を取得する。フィードバック命令を取得した設定部１６０は、記憶部２３に記憶されている検査結果データに応じて記憶部２３に記憶されている補聴レベルデータを更新する。例えば、図３（ａ）に示す補聴レベルデータおよび図３（ｂ）に示す検査結果データが記憶部２３に記憶されている場合に、フィードバック命令を取得した設定部１６０は、例えば、図３（ｃ）に示すように補聴レベルデータを更新する。なお、図３（ｃ）に示す、更新後の補聴レベルデータの値は、周波数帯毎に現補聴レベルデータの値に検査結果データの値を加算したものである。但し、現補聴レベルデータの値と検査結果データの値とから更新後の補聴レベルデータの値を算出する算出方法は、種々の係数を用いるなど種々の方法が考えられる。なお、設定部１６０は、無線部（非図示）に代えてまたは加えて、有線部（非図示）を介して、または、筐体２に設けられたスイッチ（非図示）を介してフィードバック命令を取得してもよい。
【００２０】
Ａ／Ｄ変換部１００は、補聴用マイク１０から音声信号を取得する。即ち、Ａ／Ｄ変換部１００は、環境音に係る音声信号を取得する。Ａ／Ｄ変換部１００は、補聴用マイク１０から音声信号を取得した場合、当該音声信号を音声データ（デジタルデータ）に変換し、帯域制限部１２０に供給する。
【００２１】
また、Ａ／Ｄ変換部１００は、測定用マイク４０から音声信号を取得する。即ち、Ａ／Ｄ変換部１００は、スピーカ３１から外耳道内に放音された検査音に係る音声信号を取得する。Ａ／Ｄ変換部１００は、測定用マイク４０から音声信号を取得した場合、当該音声信号を音声データに変換し、測定部１７０に供給する。
【００２２】
Ｄ／Ａ変換部１１０は、合成部１４０から合成後の環境音に係る音声データを取得する。Ｄ／Ａ変換部１１０は、合成後の環境音に係る音声データを取得した場合、音声信号に変換する。Ｄ／Ａ変換部１１０は、合成後の音声データに基づく音声信号をスピーカ３１に供給する。
【００２３】
また、Ｄ／Ａ変換部１１０は、記憶部２３から検査音データを取得する。Ｄ／Ａ変換部１１０は、検査音データを取得した場合、音声信号に変換する。Ｄ／Ａ変換部１１０は、検査音データに基づく音声信号をスピーカ３１に供給する。
【００２４】
測定部１７０は、Ａ／Ｄ変換部１００から検査音に係る音声データを取得する。測定部１７０は、検査音に係る音声データを取得した場合、検査結果データを生成する。具体的には、測定部１７０は、各周波数帯（例えば、１２５Ｈｚ帯、２５０Ｈｚ帯、５００Ｈｚ帯、１ｋＨｚ帯、２ｋＨｚ帯、４ｋＨｚ帯、８ｋＨｚ帯）の検査音の増減量を測定する。つまり、測定部１７０は、スピーカ３１から各周波数の検査音が順次出力される毎に、Ａ／Ｄ変換部１００から供給される各周波数の検査音データに係る音声データに基づいて、各周波数帯の検査結果データを生成する。なお、測定部１７０は、Ａ／Ｄ変換部１００から取得した検査音に係る音声データの出力レベルを測定するとともに、例えば記憶部２３に予め記憶されているスピーカ３１から出力される検査音の出力レベルを示す情報を参照し、検査音の増減量を測定する。検査結果データを生成した測定部１７０は、生成した検査結果データを記憶部２３に記憶する。
【００２５】
帯域制限部１２０は、Ａ／Ｄ変換部１００から環境音に係る音声データを取得する。帯域制限部１２０は、Ａ／Ｄ変換部１００から環境音に係る音声データを取得した場合、当該音声データを所定の周波数帯に分割する。具体的には、取得した環境音に係る音声データのうち、帯域制限部１２０ａは、所定の周波数帯（例えば、１２５Ｈｚ帯）の音声データのみを利得制御部１３０ａに供給し、帯域制限部１２０ｂは、所定の周波数帯（例えば、２５０Ｈｚ帯）の音声データのみを利得制御部１３０ｂに供給し、帯域制限部１２０ｃは、所定の周波数帯（例えば、５００Ｈｚ帯）の音声データのみを利得制御部１３０ｃに供給し、帯域制限部１２０ｄは、所定の周波数帯（例えば、１ｋＨｚ帯）の音声データのみを利得制御部１３０ｄに供給し、帯域制限部１２０ｅは、所定の周波数帯（例えば、２ｋＨｚ帯）の音声データのみを利得制御部１３０ｅに供給し、帯域制限部１２０ｆは、所定の周波数帯（例えば、４ｋＨｚ帯）の音声データのみを利得制御部１３０ｆに供給し、帯域制限部１２０ｇは、所定の周波数帯（例えば、８ｋＨｚ帯）の音声データのみを利得制御部１３０ｇに供給することによって、取得した環境音に係る音声データを所定の周波数帯に分割する。
【００２６】
利得制御部１３０は、帯域制限部１２０から環境音に係る各周波数帯の音声データを取得する。具体的には、利得制御部１３０ａは帯域制限部１２０ａから環境音に係る所定の周波数帯（例えば、１２５Ｈｚ帯）の音声データを取得し、利得制御部１３０ｂは帯域制限部１２０ｂから環境音に係る所定の周波数帯（例えば、２５０Ｈｚ帯）の音声データを取得し、利得制御部１３０ｃは帯域制限部１２０ｃから環境音に係る所定の周波数帯（例えば、５００Ｈｚ帯）の音声データを取得し、利得制御部１３０ｄは帯域制限部１２０ｄから環境音に係る所定の周波数帯（例えば、１ｋＨｚ帯）の音声データを取得し、利得制御部１３０ｅは帯域制限部１２０ｅから環境音に係る所定の周波数帯（例えば、２ｋＨｚ帯）の音声データを取得し、利得制御部１３０ｆは帯域制限部１２０ｆから環境音に係る所定の周波数帯（例えば、４ｋＨｚ帯）の音声データを取得し、利得制御部１３０ｇは帯域制限部１２０ｇから環境音に係る所定の周波数帯（例えば、８ｋＨｚ帯）の音声データを取得する。
【００２７】
利得制御部１３０は、環境音に係る各周波数帯の音声データを取得した場合、記憶部２３に記憶されている周波数帯毎の補聴レベルデータを用いて、各環境音に係る各周波数帯の音声データの各出力レベルを上げる（補聴する）もしくは下げる。例えば、図３（ｃ）に示す補聴レベルデータが記憶部２３に記憶されている場合、利得制御部１３０ａは、帯域制限部１２０ａにから取得した環境音に係る周波数帯「１２５Ｈｚ」の音声データの出力レベルを１８（ｄＢ）上げる。同様に、利得制御部１３０ｂは、帯域制限部１２０ｂにから取得した環境音に係る周波数帯「２５０Ｈｚ」の音声データの出力レベルを２３（ｄＢ）上げる。利得制御部１３０ｃ、利得制限部１２０ｄ、利得制御部１３０ｅ、利得制御部１３０ｆおよび利得制御部１３０ｇについても同様である。利得制御部１３０は、出力レベル増減後の環境音に係る各周波数帯の音声データを合成部１４０に供給する。
【００２８】
合成部１４０は、利得制御部１３０から出力レベル増減後の環境音に係る各周波数帯の音声データを取得する。合成部１４０は、出力レベル増減後の環境音に係る各周波数帯の音声データを取得した場合、出力レベル増減後の環境音に係る各周波数帯の音声データから環境音に係る音声帯域全体（例えば、１００ｈｚ〜１０ｋＨｚ）の音声データを生成（合成）する。合成部１４０は、合成後の環境音に係る音声データをＤ／Ａ変換部１１０に供給する。なお、合成部１４０は、合成後の環境音に係る音声データの最大出力レベルを低減させてもよい。また、合成部１４０は、合成前に環境音に係る各周波数帯の音声データの各最大出力レベルを低減させてもよい。
【００２９】
ハウリング抑制部１５０は、合成後の環境音に係る音声データの帯域制限部１２０への帰還成分を除去することによって、ハウリングの発生を抑制する。なお、合成前の環境音に係る各周波数帯の音声データの利得制御部１３０への帰還成分を除去することによって、周波数帯毎、ハウリングの発生を抑制するようにしてもよい。
【００３０】
図４は、補聴器１の動作の一部を示すフローチャートである。具体的には、図４（ａ）は実耳測定検査に係るフローチャート、図４（ｂ）は補聴レベルの調整に係るフローチャートである。なお、図４（ａ）に示すフローチャートは、設定部１６０が検査開始命令を取得することにより開始する。また、図４（ｂ）に示すフローチャートは、設定部１６０がフィードバック命令を取得することにより開始する。
【００３１】
図４（ａ）において、検査開始命令を取得した設定部１６０は、１２５Ｈｚ帯の検査音データをＤ／Ａ変換部１１０に供給する。Ｄ／Ａ変換部１１０は、１２５Ｈｚ帯の検査音データを音声信号に変換し、スピーカ３１に供給する。スピーカ３１は、１２５Ｈｚ帯の検査音を外耳道内に放音する（ステップＳ１０）。
【００３２】
測定用マイク４０は、外耳道内に放音された１２５Ｈｚ帯の検査音を集音する。測定用マイク４０は、当該検査音に係る音声信号をＡ／Ｄ変換部１００に供給する。Ａ／Ｄ変換部１００は、１２５Ｈｚ帯の検査音に係る音声信号を音声データに変換し、測定部１７０に供給する。測定部１７０は、１２５Ｈｚ帯の検査音に係る検査結果データを生成する（ステップＳ１２）。即ち、測定部１７０は、１２５Ｈｚ帯の検査音の増減量を測定する。測定部１７０は、検査結果データ（１２５Ｈｚ帯の検査音の増減量）を記憶部２３に記憶する（ステップＳ１４）。
【００３３】
設定部１６０は、全部の検査音データをＤ／Ａ変換部１１０に供給したか否かを判断する（ステップＳ１６）。設定部１６０は、全部の検査音データをＤ／Ａ変換部１１０に供給していないと判断した場合（ステップＳ１６：Ｎｏ）、設定部１６０が全部の検査音データをＤ／Ａ変換部１１０に供給したと判断する迄（ステップＳ１６：Ｙｅｓ）、ステップＳ１０からステップＳ１４を検査音データを順次変更しながら繰り返す。一方、設定部１６０は、全部の検査音データをＤ／Ａ変換部１１０に供給したと判断した場合（ステップＳ１６：Ｙｅｓ）、図４（ａ）に示すフローチャートは終了する。なお、図４（ａ）に示すフローチャートにおいては、測定部１７０は、各検査音に係る検査結果データを生成する都度（ステップＳ１４）、各検査音に係る検査結果データを記憶部２３に記憶しているが（ステップＳ１４）、全部の検査音の検査結果データを生成した後に、一括して記憶部２３に記憶するようにしてもよい。
【００３４】
図４（ｂ）において、フィードバック命令を取得した設定部１６０は、記憶部２３に記憶されている検査結果データを読み込み（ステップＳ２０）、読み込んだ検査結果に応じて記憶部２３に記憶されている補聴レベルデータを更新する（ステップＳ２２）。そして、図４（ｂ）に示すフローチャートは終了する。
【００３５】
以上、本実施形態に係る補聴器１によれば、簡便に且つ正確に実耳測定をすることができる。測定用マイク４０を使用しており、プローブ・チューブを使用しないためである。また、プローブ・チューブを使用しないため、音響特性に変化が生じ難いからである。また、プローブ・チューブ内にて音響特性が変化する音ではなく実音を直接、補聴器１の補聴レベルの設定にフィードバックすることができる。また、補聴レベルが実音によって正確に調整されるため、ハウリング抑制部１５０およびノイズ抑制部（非図示）によるハウリングおよびノイズの抑制効果も大きくなる。
【００３６】
なお、図１において、測定用マイク４０は、ベント５のシェル先端部側（つまり外耳道側）の開口部の近傍に配置しているが、図１に示す測定用マイク４０の配置位置は例示である。測定用マイク４０の配置位置は、検査音の音響特性に変化が生じ難い位置であればよい。他の例として、補聴器１に、シェル先端部側にベント５と異なる穴が形成し、当該穴の近傍に測定用マイク４０を配置するようにしてもよい。
【００３７】
なお、本実施形態では、補聴レベルデータに係る各周波数帯に対応する複数の検査音をレシーバ３０（スピーカ３１）から放音するために、記憶部２３は周波数の異なる複数の検査音データを記憶するようにしているが、周波数を変換する周波数変換部（非図示）を補聴器１が備えることによって、記憶部２３は、ある１つの周波数帯に対応する１つの検査音データのみを記憶するようにしてもよい。即ち、記憶部２３に記憶した１つの検査音データの周波数を変換して複数の検査音を生成するようにしてもよい。
【００３８】
なお、本実施形態では、設定部１６０と異なる測定部１７０が、検査結果データを生成し記憶部２３に記憶するが、測定部１７０の機能を設定部１６０が有するようにしてもよい。
【００３９】
なお、本実施形態の実耳測定検査は、記憶部２３に記憶されている検査音データを用いて検査音を出力しているが、これに代えて、外部の装置から検査音を放音し、その音を補聴用マイク１０が拾うことで検査をするようにしてもよい。なお、補聴用マイク１０が入力した検査音は、Ａ／Ｄ変換部１００、ＤＳＰ２２、Ｄ／Ａ変換部１１０を介して外耳道に放音される。
【００４０】
以上、この発明の実施形態について図面を参照して詳述してきたが、具体的な構成はこの実施形態に限られるものではなく、この発明の要旨を逸脱しない範囲の設計等も含まれる。
【符号の説明】
【００４１】
１  補聴器  ２  筐体  ３  音声入力穴  ４  音声出力穴  ５  ベント  １０  補聴用マイク  ２０  システムＬＳＩ（ＡＳＩＣ）  ２１  ＣＯＤＥＣ  ２２  ＤＳＰ  ２３  ＥＥＰＲＯＭ（補聴レベル記憶部、音声データ記憶部、検査結果記憶部）  ３０  レシーバ  ３１  スピーカ  ４０  測定用マイク  １００  Ａ／Ｄ変換部  １１０  Ｄ／Ａ変換部  １２０  帯域制限部  １３０  利得制御部（補聴部）  １４０  合成部  １５０  ハウリング抑制部  １６０  設定部（補聴レベル更新部）  １７０  測定部
【図１】
2010200258.tif 000003
【図２】
2010200258.tif 000004
【図３】
2010200258.tif 000005
【図４】
2010200258.tif 000006